【手続補正書】
【提出日】平成27年9月29日(2015.9.29)
【手続補正１】
【補正対象書類名】特許請求の範囲
【補正対象項目名】全文
【補正方法】変更
【補正の内容】
【特許請求の範囲】
【請求項１】
ビデオデータを処理する方法であって、
動作点に含まれる最大レイヤ識別（ＩＤ）値の表示を受信することと、ここにおいて前記動作点は独立に復号可能であるサブビットストリームを備えかつ２つ以上のレイヤーを備える、
前記最大レイヤＩＤ値未満のレイヤＩＤ値を有する第１のレイヤのためのフラグを受信することと、
前記フラグの値に基づいて、前記第１のレイヤが前記動作点に含まれるかどうかを決定することと
を備える方法。
【請求項２】
ゼロと前記最大レイヤＩＤ−１との間の各レイヤＩＤ値のフラグを受信すること、ここにおいて各フラグの値は各レイヤが前記動作点に含まれるかどうかを示す、
をさらに備える請求項１に記載の方法。
【請求項３】
前記フラグの第１の値は前記第１のレイヤが前記動作点に含まれることを示し、前記フラグの第２の値は前記第１のレイヤが前記動作点に存在しないことを示す、請求項１に記載の方法。
【請求項４】
前記動作点は動作点識別値を備え、前記動作点識別値は前記ビデオデータにおいて識別される１組の復号パラメータに関連付けられる、請求項１に記載の方法。
【請求項５】
ビデオパラメータセットが前記最大レイヤ識別（ＩＤ）値および前記フラグの前記表示を備える、請求項１に記載の方法。
【請求項６】
前記動作点のための前記最大レイヤＩＤ値の前記表示を受信することは、前記最大レイヤＩＤ値を識別するシンタックス要素を受信することを備える、請求項１に記載の方法。
【請求項７】
前記動作点のための前記最大レイヤＩＤ値の前記表示を受信することは、最大可能レイヤＩＤ値を決定することを備える、請求項１に記載の方法。
【請求項８】
前記方法がメディアアウェアネットワーク要素（ＭＡＮＥ）によって行われ、前記方法は、
前記第１のレイヤが前記動作点に含まれることに応答して、レイヤＩＤシンタックス要素を備えるネットワークアブストラクションレイヤ（ＮＡＬ）ユニットを識別すること、ここにおいて前記レイヤＩＤシンタックス要素の値が前記第１のレイヤに対応する、をさらに備える請求項１に記載の方法。
【請求項９】
ビデオデータを処理するためのデバイスであって、前記デバイスは１つまたは複数のプロセッサを備え、前記１つまたは複数のプロセッサは、動作点に含まれる最大レイヤ識別（ＩＤ）値の表示を受信するここと、ここにおいて前記動作点は独立に復号可能であるサブビットストリームを備えかつ２つ以上のレイヤーを備える、前記最大レイヤＩＤ値未満のレイヤＩＤ値を有する第１のレイヤのためのフラグを受信することと、前記フラグの値に基づいて、前記第１のレイヤが前記動作点に含まれるかどうかを決定することを行うように構成される、デバイス。
【請求項１０】
前記１つまたは複数のプロセッサは、さらに、ゼロと前記最大レイヤＩＤ−１との間の各レイヤＩＤ値のフラグを受信する、ここにおいて各フラグの値は各レイヤが前記動作点に含まれるかどうかを示すように構成される、請求項９に記載のデバイス。
【請求項１１】
前記フラグの第１の値は前記第１のレイヤが前記動作点に含まれることを示し、前記フラグの第２の値は前記第１のレイヤが前記動作点に存在しないことを示す、請求項９に記載のデバイス。
【請求項１２】
前記動作点は動作点識別値を備え、前記動作点識別値は前記ビデオデータにおいて識別される１組の復号パラメータに関連付けられる、請求項９に記載のデバイス。
【請求項１３】
ビデオパラメータセットが前記最大レイヤ識別（ＩＤ）値および前記フラグの前記表示を備える、請求項９に記載のデバイス。
【請求項１４】
前記１つまたは複数のプロセッサは、前記最大レイヤＩＤ値を識別するシンタックス要素を受信することによって、前記動作点のための前記最大レイヤＩＤ値の前記表示を受信するように構成される、請求項９に記載のデバイス。
【請求項１５】
前記１つまたは複数のプロセッサは、最大可能レイヤＩＤ値を決定することによって、前記動作点のための前記最大レイヤＩＤ値の前記表示を受信するように構成される、請求項９に記載のデバイス。
【請求項１６】
前記デバイスはメディアアウェアネットワーク要素（ＭＡＮＥ）を備え、前記１つまたは複数のプロセッサは、さらに前記第１のレイヤが前記動作点に含まれることに応答して、レイヤＩＤシンタックス要素を備えるネットワークアブストラクションレイヤ（ＮＡＬ）ユニットを識別するように構成され、ここにおいて前記レイヤＩＤシンタックス要素の値は前記第１のレイヤに対応する、請求項９に記載のデバイス。
【請求項１７】
前記デバイスは、
集積回路と、
マイクロプロセッサと、
前記ビデオデコーダを含むワイヤレス通信デバイスとのうちの少なくとも１つを備える、請求項９に記載のデバイス。
【請求項１８】
ビデオデータを処理するための装置であって、
動作点に含まれる最大レイヤ識別（ＩＤ）値の表示を受信するための手段と、ここにおいて前記動作点は独立に復号可能であるサブビットストリームを備えかつ２つ以上のレイヤーを備える、
前記最大レイヤＩＤ値未満のレイヤＩＤ値を有する第１のレイヤのためのフラグを受信するための手段と、
前記フラグの値に基づいて、前記第１のレイヤが前記動作点に含まれるかどうかを決定するための手段と
を備える装置。
【請求項１９】
ゼロと前記最大レイヤＩＤ−１との間の各レイヤＩＤ値のフラグを受信するための手段をさらに備え、ここにおいて各フラグの値は各レイヤが前記動作点に含まれるかどうかを示す、請求項１８に記載の装置。
【請求項２０】
前記フラグの第１の値は前記第１のレイヤが前記動作点に含まれることを示し、前記フラグの第２の値は前記第１のレイヤが前記動作点に存在しないことを示す、請求項１８に記載の装置。
【請求項２１】
前記動作点は動作点識別値を備え、前記動作点識別値は前記ビデオデータにおいて識別される１組の復号パラメータに関連付けられる、請求項１８に記載の装置。
【請求項２２】
ビデオパラメータセットが前記最大レイヤ識別（ＩＤ）値および前記フラグの前記表示を備える、請求項１８に記載の装置。
【請求項２３】
前記動作点のための前記最大レイヤＩＤ値の前記表示を受信するための前記手段は、前記最大レイヤＩＤ値を識別するシンタックス要素を受信するための手段を備える、請求項１８に記載の装置。
【請求項２４】
前記動作点のための前記最大レイヤＩＤ値の前記表示を受信するための前記手段は、最大可能レイヤＩＤ値を決定するための手段を備える、請求項１８に記載の装置。
【請求項２５】
前記装置はメディアアウェアネットワーク要素（ＭＡＮＥ）を備え、前記装置は、前記第１のレイヤが前記動作点に含まれることに応答して、レイヤＩＤシンタックス要素を備えるネットワークアブストラクションレイヤ（ＮＡＬ）ユニットを識別するための手段をさらに備え、ここにおいて前記レイヤＩＤシンタックス要素の値は前記第１のレイヤに対応する、請求項１８に記載の装置。
【請求項２６】
１つまたは複数のプロセッサによって実行されると、前記１つまたは複数のプロセッサに、
動作点に含まれる最大レイヤ識別（ＩＤ）値の表示を受信することと、ここにおいて前記動作点は独立に復号可能であるサブビットストリームを備えかつ２つ以上のレイヤーを備える、
前記最大レイヤＩＤ値未満のレイヤＩＤ値を有する第１のレイヤのためのフラグを受信することと、
前記フラグの値に基づいて、前記第１のレイヤが前記動作点に含まれるかどうかを決定することとを行わせる、複数の命令を記憶したコンピュータ可読記憶媒体。
【請求項２７】
前記１つまたは複数のプロセッサに、
ゼロと前記最大レイヤＩＤ−１との間の各レイヤＩＤ値のフラグを受信させるように構成される複数の命令をさらに記憶し、ここにおいて各フラグの値は各レイヤが前記動作点に含まれるかどうかを示す、請求項２６に記載のコンピュータ可読記憶媒体。
【請求項２８】
前記フラグの第１の値は前記第１のレイヤが前記動作点に含まれることを示し、前記フラグの第２の値は前記第１のレイヤが前記動作点に存在しないことを示す、請求項２６に記載のコンピュータ可読媒体。
【請求項２９】
前記動作点は動作点識別値を備え、前記動作点識別値は前記ビデオデータにおいて識別される１組の復号パラメータに関連付けられる、請求項２６に記載のコンピュータ可読媒体。
【請求項３０】
ビデオパラメータセットが前記最大レイヤ識別（ＩＤ）値および前記フラグの前記表示を備える、請求項２６に記載のコンピュータ可読媒体。
【請求項３１】
前記１つまたは複数のプロセッサは、前記最大レイヤＩＤ値を識別するシンタックス要素を受信することによって、前記動作点のための前記最大レイヤＩＤ値の前記表示を受信する、請求項２６に記載のコンピュータ可読媒体。
【請求項３２】
前記１つまたは複数のプロセッサは、最大可能レイヤＩＤ値を決定することによって、前記動作点のための前記最大レイヤＩＤ値の前記表示を受信する、請求項２６に記載のコンピュータ可読媒体。
【請求項３３】
前記１つまたは複数のプロセッサに、
前記第１のレイヤが前記動作点に含まれることに応答して、レイヤＩＤシンタックス要素を備えるネットワークアブストラクションレイヤ（ＮＡＬ）ユニットを識別させる複数の命令をさらに記憶し、ここにおいて前記レイヤＩＤシンタックス要素の値は前記第１のレイヤに対応する、請求項２６に記載のコンピュータ可読媒体。
【請求項３４】
ビデオデータを符号化する方法であって、
前記ビデオデータについて動作点を決定することと、ここにおいて前記動作点は独立に復号可能であるサブビットストリームを備えかつ２つ以上のレイヤーを備える、
前記動作点のための最大レイヤ識別（ＩＤ）値の表示を生成することと、
前記最大レイヤＩＤ値未満のレイヤＩＤ値を有する第１のレイヤのためのフラグを生成することとを備え、ここにおいて前記フラグの値は前記第１のレイヤが前記動作点に含まれるかどうかをシグナリングする、方法。
【請求項３５】
ゼロと前記最大レイヤＩＤ−１との間の各レイヤＩＤ値のフラグを生成することをさらに備え、ここにおいて各フラグの値は各レイヤが前記動作点に含まれるかどうかを示す、請求項３４に記載の方法。
【請求項３６】
前記フラグの第１の値は前記第１のレイヤが前記動作点に含まれることを示し、前記フラグの第２の値は前記第１のレイヤが前記動作点に存在しないことを示す、請求項３４に記載の方法。
【請求項３７】
前記動作点は動作点識別値を備え、前記動作点識別値は前記ビデオデータにおいて識別される１組の復号パラメータに関連付けられる、請求項３４に記載の方法。
【請求項３８】
ビデオパラメータセットを生成することをさらに備え、ここにおいて前記ビデオパラメータセットは前記最大レイヤ識別（ＩＤ）値および前記フラグの前記表示を備える、る請求項３４に記載の方法。
【請求項３９】
前記動作点のための前記最大レイヤＩＤ値の前記表示を生成することは、前記最大レイヤＩＤ値を識別するシンタックス要素を生成することを備える、請求項３４に記載の方法。
【請求項４０】
前記動作点のための前記最大レイヤＩＤ値の前記表示を受信することは、最大可能レイヤＩＤ値を決定することを備える、請求項３４に記載の方法。
【請求項４１】
前記方法はビデオ符号器によって行われる、請求項３４に記載の方法。
【請求項４２】
ビデオコーディングデバイスであって、
前記デバイスはビデオ符号器を備え、前記ビデオ符号器は、前記ビデオデータについて動作点を決定することと、ここにおいて前記動作点は独立に復号可能であるサブビットストリームを備えかつ２つ以上のレイヤーを備える、前記動作点のための最大レイヤ識別（ＩＤ）値の表示を生成することと、前記最大レイヤＩＤ値未満のレイヤＩＤ値を有する第１のレイヤのためのフラグを生成することとを行うように構成され、ここにおいて前記フラグの値は前記第１のレイヤが前記動作点に含まれるかどうかをシグナリングする、ビデオコーディングデバイス。
【請求項４３】
前記ビデオ符号器はさらにゼロと前記最大レイヤＩＤ−１との間の各レイヤＩＤ値のフラグを生成するように構成され、ここにおいて各フラグの値は各レイヤが前記動作点に含まれるかどうかを示す、請求項４２に記載のビデオコーディングデバイス。
【請求項４４】
前記フラグの第１の値は前記第１のレイヤが前記動作点に含まれることを示し、前記フラグの第２の値は前記第１のレイヤが前記動作点に存在しないことを示す、請求項４２に記載のビデオコーディングデバイス。
【請求項４５】
前記動作点は動作点識別値を備え、前記動作点識別値は前記ビデオデータにおいて識別される１組の復号パラメータに関連付けられる、請求項４２に記載のビデオコーディングデバイス。
【請求項４６】
前記ビデオ符号器はさらにビデオパラメータセットを生成するように構成され、ここにおいて前記ビデオパラメータセットは前記最大レイヤ識別（ＩＤ）値および前記フラグの前記表示を備える、請求項４２に記載のビデオコーディングデバイス。
【請求項４７】
前記ビデオコーダは、前記最大レイヤＩＤ値を識別するシンタックス要素を生成することによって、前記動作点のための前記最大レイヤＩＤ値の前記表示を生成するように構成される、請求項４２に記載のビデオコーディングデバイス。
【請求項４８】
前記ビデオ符号器は、最大可能レイヤＩＤ値を決定することによって、前記動作点のための前記最大レイヤＩＤ値の前記表示を生成するように構成される、請求項４２に記載のビデオコーディングデバイス。
【請求項４９】
前記方法は、ビデオ符号器によって行われる、請求項４２に記載のビデオコーディングデバイス。